(57)【要約】【課題】導光板に対する光源の位置に応じて導光板へ入る光の光軸を調整することにより導光板から均一な光を出射できる照明装置を提供する。【解決手段】光の出射方向と交差する方向に左右均等に光を出射するＬＥＤ２１と、ＬＥＤ２１と対向する光入射面２２ａから光を導入し、光入射面２２ａに隣接する光出射面２２ｂから出射する導光板２２とを有する照明装置である。ＬＥＤ２１は、当該ＬＥＤ２１の光の出射方向と交差する方向となる導光板２２の幅の中心線Ｐr0からずれた位置Ｐｓに光入射面２２ａに隣接して配置され、導光板２２の光入射面２２ａには、ＬＥＤ２１の光の出射方向と交差する方向に沿って複数の凸部２３が設けられ、個々の凸部２３は、ＬＥＤ２１の光の出射方向と交差する方向において傾いた非対称の形状を有し、複数の凸部２３はいずれもＬＥＤ２１の光の出射方向と交差する方向の一方に傾けられている。【選択図】図３
2008047429.tif 000002
【特許請求の範囲】
【請求項１】
光の出射方向と交差する方向に左右均等に光を出射する光源と、
前記光源と対向する入光用側端面から前記光を導入し、該入光用側端面に隣接する光出射平面から出射する導光体と、を有する照明装置において、
前記光源は、該光源の前記光の出射方向と交差する方向となる前記導光体の幅の中心線からずれた位置に前記入光用側端面に隣接して配置され、
前記導光体の前記入光用側端面には、前記光源の前記光の出射方向と交差する方向に沿って複数の凸部又は凹部が設けられ、
個々の前記凸部又は凹部は、前記光源の前記光の出射方向と交差する方向において傾いた非対称の形状を有し、
前記複数の凸部又は凹部はいずれも前記光源の前記光の出射方向と交差する方向の一方に傾けられていることを特徴とする照明装置。
【請求項２】
請求項１記載の照明装置において、前記複数の凸部は、前記光源から出射された光を前記導光体内部において、該凸部が傾けられた方向に光を屈折させ、前記複数の凹部は、前記光源から出射された光を前記導光体内部において、該凹部が傾けられた方向とは逆に光を屈折させることを特徴とする照明装置。
【請求項３】
請求項１又は請求項２記載の照明装置において、互いに隣接する前記凸部の間又は互いに隣接する前記凹部の間には平坦部が設けられ、該平坦部の延長線を基準とした前記凸部又は凹部の形状が三角状であることを特徴とする照明装置。
【請求項４】
請求項３記載の照明装置において、前記光出射平面側から見て、前記凸部の頂点から前記平坦部の前記延長線に向かう垂線との間で傾斜角を成す両側面のうち、前記光源の前記光の出射方向と交差する方向の前記一方の側の側面の傾斜角度をａとし、他方の側面の側の傾斜角度をｂとしたとき、
ａ＜ｂ
であることを特徴とする照明装置。
【請求項５】
請求項３記載の照明装置において、前記光出射平面側から見て、前記凹部の底点から前記平坦部の前記延長線に向かう垂線との間で傾斜角を成す両側面のうち、前記光源の前記光の出射方向と交差する方向の前記一方の側の側面の傾斜角度をｄとし、他方の側の側面の傾斜角度をｃとしたとき、
ｃ＞ｄ
であることを特徴とする照明装置。
【請求項６】
請求項１又は請求項２記載の照明装置において、個々の前記凸部又は凹部は、前記光源の前記光の出射方向と交差する方向に２つの側面を有し、前記一方の側の側面が直線であり、他方の側の側面が曲線であり、互いに隣接する前記凸部同士の間又は互いに隣接する前記凹部同士の間には、平坦部が設けられないことを特徴とする照明装置。
【請求項７】
光の出射方向と交差する方向に左右均等に光を出射する光源と、
前記光源と対向する入光用側端面から前記光を導入し、該入光用側端面に隣接する光出射平面から出射する導光体と、を有する照明装置において、
前記光源は、前記入光用側端面に隣接して配置されとともに、該光源の前記光の出射方向で前記導光体の前記光出射平面を２等分する中心線を境にして該中心線の両側に設けられて、
個々の前記光源は、前記中心線と該中心線に平行な端面との中間位置からずれた位置に前記入光用側端面に対向して配置され、
前記導光体の前記入光用側端面には前記光源の前記光の出射方向と交差する方向に沿って複数の凸部又は凹部が設けられ、
個々の前記凸部又は凹部は、前記光源の前記光の出射方向と交差する方向において傾いた非対称の形状を有し、
前記複数の凸部は前記光の出射方向と交差する方向の傾いている方向に光を屈折させ、凹部は前記光の出射方向と交差する方向の傾いている方向の逆に光を屈折させ、
前記複数の凸部又は凹部はいずれも前記光の出射方向と交差する方向の一方に傾けられていることを特徴とする照明装置。
【請求項８】
液晶層と
該液晶層に平面的に重なる偏光層とを有する液晶パネルと、
該液晶パネルに光を供給する照明装置と、を有し、
前記照明装置は、請求項１から請求項７のいずれか１つに記載した構成の照明装置であることを特徴とする液晶装置。
【請求項９】
請求項８記載の液晶装置を有することを特徴とする電子機器。
【発明の詳細な説明】
【技術分野】
【０００１】
本発明は、液晶装置等といった被照明体に光を供給する照明装置に関する。また、本発明は、その照明装置を用いて構成される液晶装置に関する。また、本発明は、その液晶装置を用いて構成される電子機器に関する。
【背景技術】
【０００２】
現在、携帯電話機、携帯情報端末機等といった各種の電子機器において、例えば、当該電子機器に関する各種の情報を視覚的に表示するための表示部として、液晶装置が広く用いられている。液晶装置は自発光型の装置ではないことから、光の供給源として太陽光、室内光、照明装置等が必要となる。
【０００３】
液晶装置で用いられる照明装置は、一般に、光を発する光源と、この光源からの光を面状の光に変換して出射する導光板とを有する。光源としては、ＬＥＤ（Light Emitting Diode）等が用いられることが多い。ＬＥＤ等といった光源から発せられた光は指向性を有しているので、その光が照射された導光板では明るい部分と暗い部分が生じることがある。
【０００４】
上記のような照明装置として、従来、光入射面に複数の凸部や凹部を設けた導光板を用いたものが知られている（例えば、特許文献１〜３参照）。これらの照明装置では、凸部や凹部によって光を屈折させて導光板内の広い範囲に光を拡散させている。これにより、導光板から出射される光を均一にしている。
【０００５】
【特許文献１】特開２００６−５９５５９号公報（第５〜６頁、図３）
【特許文献２】特開２００６−４９１９２号公報（第５頁、図２）
【特許文献３】特開２００６−４６４５号公報（第４頁、図３）
【発明の開示】
【発明が解決しようとする課題】
【０００６】
ところで、光源は、導光板の平面内のできるだけ広い領域に均一な強度の光を供給できる位置に配置されることが望ましい。しかしながら、液晶装置では、当該装置を構成する種々の要素を配置する必要があるために、必ずしも所望の位置に光源を設けることができない場合がある。このような場合、導光板に入射する光の配光が偏ることにより、必要以上の光が集中して強度が強くなる場所や、光が届かずに強度が弱くなる場所が生じることがある。
【０００７】
図１２（ａ）は従来の照明装置の一例を示している。ここに示す照明装置１０１は導光板１０３と光源１０２Ｌ，１０２Ｒとを有し、導光板１０３の光入射端面１０３ａは凹凸の無い平面となっている。この照明装置１０１において２個の光源１０２Ｌ，１０２Ｒを導光板１０３の幅方向であるＸ方向内の所定位置Ｐｒに置くと、導光板１０３の光出射平面１０３ｂ内の可能な限りの広い領域に均一な強度の光を供給できる。図１２（ａ）の照明装置１０１に限らず、光入射端面１０３ａが平坦面であるときの光源１０２Ｌ，１０２Ｒの配置位置であって導光板１０３の光出射平面１０３ｂ内の可能な限りの広い領域に均一な強度の光を供給できる光源１０２Ｌ，１０２Ｒの位置を、これ以降、「標準位置」ということにする。
【０００８】
図１２（ｂ）は、２個の光源１０２Ｌと１０２Ｒとが互いに近づく方向へ標準位置Ｐｒからずれて設けられた場合に光源１０２Ｌ，１０２Ｒから導光板１０３へ入射する光の配向状態を示している。このように２個の光源１０２Ｌ，１０２Ｒが標準位置Ｐｒからずれるという状態は、照明装置１０１を１つの構成要素とする何等かの電子機器の内部構造の関係上、そのようにせざるを得ないという場合に生じることがある。
【０００９】
図１２（ａ）及び図１２（ｂ）において、光源１０２Ｌ及び１０２Ｒから出射される光は、符号αＬ又はαＲで示す光放射領域内に出射されるのであるが、それらの光が進行する方向（すなわち、光放射領域αＬ及びαＲの向き）は導光板１０３の側端面１０３ａに対して略直角である。なお、本明細書では、光の進行方向を「光軸」と言うことがある。
【００１０】
図１２（ａ）では、光源１０２Ｌから出た光の放射領域αＬと光源１０２Ｒから出た光の放射領域αＲとが重ならない位置に光源１０２Ｌ及び１０２Ｒを配置している。一方、図１２（ｂ）では、光源１０２Ｌと光源１０２Ｒとの間隔が狭いために、光放射領域αＬとαＲが部分的に重なっている。この場合、光放射領域αＬとαＲが重なった領域βにおいて、光の強度が強くなり、導光板の平面内で光の強度が不均一になるおそれがある。
【００１１】
上記の問題を解決するためには、光源１０２Ｌ，１０２Ｒの位置に対応して、導光板１０３に入射する光の進行方向、すなわち、光軸の方向を変えることが有効であると考えられる。しかしながら、特許文献１〜３に開示された照明装置では、導光板に入射した光を拡散することはできるが、光軸の向きを変えることはできなかった。そのため、異なる光源から出射された光が導光板内で重なることを防止できないので、導光板の平面内で光の強度が不均一になるおそれがあった。
【００１２】
本発明は、上記の問題点に鑑みて成されたものであって、導光板に対する光源の位置に応じて導光板へ入る光の光軸を調整することにより導光板から均一な光を出射できる照明装置、液晶装置及び電子機器を提供することを目的とする。
【課題を解決するための手段】
【００１３】
本発明に係る第１の照明装置は、光の出射方向と交差する方向に左右均等（例えば、左右対称）に光を出射する光源と、前記光源と対向する入光用側端面から前記光を導入し、該入光用側端面に隣接する光出射平面から出射する導光体とを有する照明装置において、前記光源は、該光源の前記光の出射方向と交差する方向となる前記導光体の幅の中心線からずれた位置に前記入光用側端面に隣接して配置され、前記導光体の前記入光用側端面には、前記光源の前記光の出射方向と交差する方向に沿って複数の凸部又は凹部が設けられ、個々の前記凸部又は凹部は、前記光源の前記光の出射方向と交差する方向において傾いた非対称の形状を有し、前記複数の凸部又は凹部はいずれも前記光源の前記光の出射方向と交差する方向の一方に傾けられていることを特徴とする。
【００１４】
上記構成の照明装置に用いられる光源は、光を扇状に放射することができる。この扇状の光は一定の方向に進行する、いわゆる光指向性を有している。この光源から出射される光は、当該光源の中心から所定の角度範囲内で左右対称に放射される。また、導光体は、例えば透光性の樹脂を用いて形成された板状の部材である。光源は、一般に、導光体から出射する光の輝度を導光体の平面内で均一にするために、導光体に対する標準位置、すなわち、光源の光の出射方向と交差する方向となる導光体の幅の中心線上に入光用側端面に隣接して配置されることが望ましい。しかしながら、液晶装置を構成する各種の要素を照明装置の周辺に配置する関係上、本発明のように、必ずしも光源を標準位置に配置できない場合がある。
【００１５】
本発明の照明装置では、導光体の入光用側端面に、光源の光の出射方向と交差する方向に沿って複数の凸部又は凹部が設けられている。光源から出射して導光体の入光用側端面から当該導光体内に導入される光は、入光用側端面に設けられた凸部又は凹部において屈折する。個々の凸部又は凹部は、光源の光の出射方向と交差する方向において傾いた非対称の形状を有し、複数の凸部又は凹部はいずれも光源の光の出射方向と交差する方向の一方に傾けられている。従って、凸部又は凹部において屈折する光の多くが同じ方向に進行することができる。これにより、光源から出射して導光体内に導入される光の光軸を変えることができる。その結果、導光体に対する標準位置からずれた位置に光源が設けられていても、当該光源から出射した光の光軸を変えて導光体内の所望の領域に光を導入できるので、導光体から均一な光を出射できる。
【００１６】
次に、本発明に係る第１の照明装置において、前記複数の凸部は、前記光源から出射された光を前記導光体内部において、該凸部が傾けられた方向に光を屈折させることができる。また、前記複数の凹部は、前記光源から出射された光を前記導光体内部において、該凹部が傾けられた方向とは逆に光を屈折させることができる。
【００１７】
一般に、導光体内においては、光源の光放射領域に対応して、個々の光源が照明すべき領域が決まっている。既述の通り、光源から出射される光は当該光源の発光部の中心から所定の角度範囲内で左右均等に放射される。そのため、光源を配置すべき標準位置は、個々の光源が照明すべき導光体内の領域の中心線上にある。この標準位置から光源がずれた場合、そのずれた側と反対側に光が屈折するように前記凸部又は凹部を設定すれば、光源が発する光の光軸を光源がずれた側と反対側に向けることができる。
【００１８】
本発明態様において、複数の凸部は当該凸部が傾けられた方向に光を屈折することができるので、光源がずれた側と反対側に凸部を傾ければ、光源が発する光の光軸を光源がずれた側と反対側に向けることができる。一方、複数の凹部は当該凹部が傾けられた方向とは逆に光を屈折させることができるので、光源がずれた側に凹部を傾ければ、光源が発する光の光軸を光源がずれた側と反対側に向けることができる。このように複数の凸部又は凹部を傾ければ、光源の位置がずれたことに起因して光源の光放射領域がずれることを補償できる。
【００１９】
次に、本発明に係る第１の照明装置において、互いに隣接する前記凸部の間又は互いに隣接する前記凹部の間には平坦部が設けられ、該平坦部の延長線を基準とした前記凸部又は凹部の形状が三角状であることが望ましい。このように、互いに隣接する凸部同士の間又は互いに隣接する凹部同士の間に平坦部を設ければ、この平坦部において光源からの光が屈折し難くなり、その光は導光体の入光用側端面に対して略直角に入射することができる。こうして入光用側端面に対して直角方向に入射する光を確保できる。
【００２０】
また、本構成の照明装置においては、凸部又は凹部を平坦部の延長線を基準とした前記凸部又は凹部の形状を三角状とすることができる。既述のように、凸部又は凹部は左右非対称の形状を有している。すなわち、凸部又は凹部の形状は凸部の頂点から平坦部の延長線への垂線と左右の側面の成す角度が互いに異なる不等辺三角形である。このような形状の凸部又は凹部に光が入射する場合、多くの光は大きい傾斜角度の側面に入射してその側面の反対側へ向けて屈折し、その屈折した方向へ光軸が変わる。そして、光源の光放射領域は光軸と同じ方向へ向くことになる。このように、凸部又は凹部の間に平坦部を設ければ、凸部又は凹部の部分で光源の光軸が変わっても光源の正面方向を含めた広い範囲を照明できる。すなわち、入光用側端面に対する直角方向に在る領域も含めて大きい傾斜角度の側面と反対の方向へ扇状に拡がる広い領域を照明できる。
【００２１】
次に、本発明に係る第１の照明装置において、前記光出射平面側から見て、前記凸部の頂点から前記平坦部の前記延長線に向かう垂線との間で傾斜角を成す両側面のうち、前記光源の前記光の出射方向と交差する方向の前記一方の側の側面の傾斜角度をａとし、他方の側面の側の傾斜角度をｂとしたとき、
ａ＜ｂ
であることが望ましい。本構成の照明装置において、光源が標準位置からずれた側と反対側の傾斜角度をａとし、他方の傾斜角度をｂとすれば、凸部を通って導光体内に入射する光の多くは、光源が標準位置からずれた側と反対側へ向かって屈折することができる。従って、導光体の入光用側端面から当該導光体に導入される光の光軸を光源がずれた側と反対の方向に変えることができるので、光源がずれた側の光の強度が強くなることを防止し、導光体から出射される光の強度を均一にすることができる。
【００２２】
次に、本発明に係る第１の照明装置において、前記光出射平面側から見て、前記凹部の底点から前記平坦部の前記延長線に向かう垂線との間で傾斜角を成す両側面のうち、前記光源の前記光の出射方向と交差する方向の前記一方の側の側面の傾斜角度をｄとし、他方の側の側面の傾斜角度をｃとしたとき、
ｃ＞ｄ
であることが望ましい。本構成の照明装置において、光源が標準位置からずれた側の傾斜角度をｄとし、他方の傾斜角度をｃとすれば、凹部を通って導光体内に入射する光の多くは、光源が所定位置からずれた側と反対側へ向かって屈折することができる。従って、導光体の入光用側端面から当該導光体に導入される光の光軸を光源がずれた側と反対の方向に変えることができるので、光源がずれた側の光の強度が強くなることを防止し、導光体から出射される光の強度を均一にすることができる。
【００２３】
次に、本発明に係る第１の照明装置において、個々の前記凸部又は凹部は、前記光源の前記光の出射方向と交差する方向に２つの側面を有し、前記一方の側の側面が直線であり、他方の側の側面が曲線であり、互いに隣接する前記凸部同士の間又は互いに隣接する前記凹部同士の間には、平坦部が設けられないことが望ましい。本構成の照明装置は、凸部又は凹部に入射する光を屈折させたい側の凸部又は凹部の側面の形状を曲線とし、反対側の側面の形状を直線としたものである。曲線形状を有した側面では入射した光が屈折できる。また、曲線形状の側面のうち、その曲線の接線が導光体の入光用側端面に対して平行又はそれに近い部分では光が屈折し難くなり、その光は入光用側端面に対して略直角に入射する。すなわち、この部分では、平坦面と同様の効果が得られる。また、凸部の側面を曲線で形成すれば、凸部の先端部の幅を広く形成できるので、凸部の機械的な強度を確保できる。
【００２４】
次に、本発明に係る第２の照明装置は、光の出射方向と交差する方向に左右均等（例えば、左右対称）に光を出射する光源と、前記光源と対向する入光用側端面から前記光を導入し、該入光用側端面に隣接する光出射平面から出射する導光体とを有する照明装置において、前記光源は、前記入光用側端面に隣接して配置されとともに該光源の前記光の出射方向で前記導光体の前記光出射平面を２等分する中心線を境にして該中心線の両側に設けられ、個々の前記光源は、前記中心線と該中心線に平行な端面との中間位置である標準位置からずれた位置に前記入光用側端面に対向して配置され、前記導光体の前記入光用側端面には前記光源の前記光の出射方向と交差する方向に沿って複数の凸部又は凹部が設けられ、個々の前記凸部又は凹部は、前記光源の前記光の出射方向と交差する方向において傾いた非対称の形状を有し、前記複数の凸部は前記光の出射方向と交差する方向の傾いている方向に光を屈折させ、凹部は前記光の出射方向と交差する方向の傾いている方向の逆に光を屈折させ、前記複数の凸部又は凹部はいずれも前記光の出射方向と交差する方向の一方に傾けられていることを特徴とする。
【００２５】
本発明の第２の照明装置においては、複数の凸部は当該凸部が傾けられた方向に光を屈折することができるので、光源が標準位置からずれた側と反対側に凸部を傾ければ、各光源が発する光の光軸を光源がずれた側と反対側に向けることができる。一方、複数の凹部は当該凹部が傾けられた方向とは逆に光を屈折させることができるので、光源がずれた側に凹部を傾ければ、各光源が発する光の光軸を光源がずれた側と反対側に向けることができる。このように複数の凸部又は凹部を傾ければ、光源の位置がずれたことに起因して光源の光放射領域がずれることを補償できる。
【００２６】
本構成の照明装置において、仮に、導光体の中心線の両側に設けられた光源同士が近づく方向にずれた場合には、それぞれの光源の光放射領域が重ならないように光軸を変えることにより、導光体の平面内において光の強度が極度に強い領域を無くすことができる。また仮に、光源同士が遠のく方向にずれた場合には、扇状の光放射領域が光源同士の間に向くように光軸を変えることにより、導光体の平面内において光の強度が極度に弱い領域を無くすことができる。これらいずれの場合においても、導光体から出射する光の強度を均一にできる。
【００２７】
次に、本発明に係る液晶装置は、液晶層と該液晶層に平面的に重なる偏光層とを有する液晶パネルと、該液晶パネルに光を供給する照明装置とを有し、前記照明装置は、以上に記載した構成の照明装置であることを特徴とする。本発明に係る照明装置は、導光体の入光用側端面に左右非対称形状の複数の凸部又は凹部を設けたことにより、導光体に入射する光の光軸を変えることができるので、導光体から出射される光の強度を平面内で均一にできる。従って、本発明に係る液晶装置においても、照明装置から出射された光の強度を均一にできるので、液晶装置の表示の輝度を均一にできる。
【００２８】
次に、本発明に係る電子機器は、以上に記載した構成の液晶装置を有することを特徴とする。本発明に係る液晶装置は、照明装置を構成する導光体の入光用側端面に左右非対称形状の複数の凸部又は凹部を設けたことにより、導光体に入射する光の光軸を変えることができるので、導光体から出射される光の強度を平面内で均一にでき、その結果、液晶装置の表示の輝度を均一にできる。従って、本発明に係る電子機器においてもその表示の輝度を均一にできる。
【発明を実施するための最良の形態】
【００２９】
（照明装置及び液晶装置の第１実施形態）
以下、本発明に係る照明装置を液晶装置に適用した場合を例に挙げて説明する。なお、これ以降に説明する実施形態は本発明の一例であって、本発明を限定するものではない。また、これからの説明では必要に応じて図面を参照するが、この図面では、複数の構成要素から成る構造のうち重要な構成要素をわかり易く示すため、各要素を実際とは異なった相対的な寸法で示している。
【００３０】
図１は、本発明に係る液晶装置の一実施形態を分解状態で示している。また、図２は、図１の液晶装置を組立てた場合の要部の断面構造を示している。図１において、液晶装置１は、電気光学パネルとしての液晶パネル２と照明装置３とを有する。この液晶装置１は、矢印Ａが描かれた側が観察側である。
【００３１】
液晶パネル２は、第１基板４と、それに対向する第２基板５とを有し、それらの基板を矢印Ａの観察方向から見て正方形又は長方形の枠状のシール材６によって貼り合わせて形成する。第１基板４と第２基板５との間には間隙、いわゆるセルギャップが形成され、その中に電気光学物質としての液晶が封入されて液晶層を構成する。
【００３２】
第１基板４は、矢印Ａで示す観察方向から見て長方形又は正方形の第１の透光性の基板４ａを有する。この第１透光性基板４ａは、例えば、透光性のガラス、透光性のプラスチック等によって形成される。また、この第１透光性基板４ａの外側表面には、図２に示すように、偏光板７ａが貼り付けられている。必要に応じて、その他適宜の光学要素を用いても良い。
【００３３】
第１基板４に対向する第２基板５は、図１において、矢印Ａで示す観察方向から見て長方形又は正方形の第２の透光性基板５ａを有する。この第２透光性基板５ａは、例えば、透光性のガラス、透光性のプラスチック等によって形成される。この第２透光性基板５ａの外側表面には、図２に示すように偏光板７ｂが貼り付けられている。必要に応じて、その他適宜の光学要素を用いても良い。
【００３４】
液晶パネル２は、任意の表示モードによって構成できる。例えば、液晶駆動方式でいえば、単純マトリクス方式及びアクティブマトリクス方式のいずれであっても良い。また、液晶モードの種別でいえば、ＴＮ（Twisted Nematic）モード、ＳＴＮ（Super Twisted Nematic）モード、ＶＡ（Vertical Alignment）モード、その他任意の液晶モードを用いることができる。また、採光方式でいえば、本実施形態では、照明装置３をバックライトとして用いているので、透過型又は半透過反射型ということになる。なお、照明装置をフロントライトとして用いる場合には、採光方式は反射型ということになる。
【００３５】
単純マトリクス方式とは、各画素に能動素子を持たず、走査電極とデータ電極との交差部が画素又はドットに対応し、駆動信号が直接に印加されるマトリクス方式である。この方式に対応する液晶モードとしては、ＴＮ、ＳＴＮが用いられる。次に、アクティブマトリクス方式とは、画素又はドットごとに能動素子が設けられ、書き込み期間では能動素子がＯＮ状態となってデータ電圧が書き込まれ、他の期間では、能動素子がＯＦＦ状態になって電圧が保持されるマトリクス方式である。この方式で使用する能動素子には３端子型と２端子型がある。３端子型の能動素子には、例えば、ＴＦＴ（Thin Film Transistor）がある。また、２端子型の能動素子には、例えば、ＴＦＤ（Thin Film Diode）がある。
【００３６】
上記のような液晶パネル２において、カラー表示を行う場合には、第１基板４又は第２基板５にカラーフィルタが設けられる。カラーフィルタは、特定の波長域の光を選択的に透過するフィルタである。具体的には、Ｒ（赤）、Ｇ（緑）、Ｂ（青）の１色ずつを第１基板４又は第２基板５上の各ドットに対応させて所定の配列、例えばストライプ配列、デルタ配列、モザイク配列で並べる。
【００３７】
第２基板５を構成する第２透光性基板５ａは、対向基板である第１基板４の外側へ張り出す張出し部８を有する。この張出し部８の第１基板４側の表面上には、駆動用ＩＣ９が、例えばＡＣＦ（Anisotropic Conductive Film：異方性導電膜）１１を用いたＣＯＧ（Chip On Glass）技術によって実装される。駆動用ＩＣ９は、図１に示すように複数個、本実施形態では３個実装されている。これらの駆動用ＩＣ９は、液晶パネル２内の電極に走査信号及びデータ信号を出力して液晶パネル２を駆動する。
【００３８】
この張出し部８の端部には、図２に示すように、外部接続用端子１２が形成される。この外部接続用端子１２は、複数個が紙面垂直方向（すなわち、行方向Ｘ）に互いに間隔を開けて形成されている。これらの外部接続用端子１２は駆動用ＩＣ９の入力用端子、例えば入力用バンプにつながる。また、これらの外部接続用端子１２には、図１において鎖線で示すように配線基板１３が、例えばＡＣＦ１１によって接続されている。配線基板１３としては、例えば可撓性の基板であるＦＰＣ（Flexible Printed Circuit：可撓性プリント回路）基板を用いることができる。また、配線基板１３と外部接続用端子１２との接続には、ハンダ付け、ヒートシール等といった導電接続手法を用いることもできる。
【００３９】
図２において、張出し部８の液晶層側には配線１４が形成される。この配線１４は、複数本が紙面垂直方向（すなわち、行方向Ｘ）に互いに間隔を開けて形成されている。これらの配線１４は駆動用ＩＣ９の出力用端子、例えば出力用バンプに繋がる。また、これらの配線１４は液晶パネル２の内部、すなわち液晶層へ向かって延びており、単純マトリクス方式の場合には走査電極及びデータ電極に接続される。また、アクティブマトリクス方式の場合にはＴＦＤ素子やＴＦＴ素子といった能動素子及び電極に接続される。
【００４０】
次に、照明装置３は、図１に示すように、光源としてのＬＥＤ（Light Emitting Diode）２１と、ＬＥＤ２１からの光を内部へ導入して面状の光として液晶パネル２へ向けて出射する導光体としての導光板２２とを有する。本実施形態において、この照明装置３は、矢印Ａで示す観察方向から見て液晶パネル２の裏側に配置されていてバックライトとして機能する。また、本実施形態における照明装置３は、２個のＬＥＤ２１によって照明を行う構造とする。
【００４１】
導光板２２は、入光用側端面である光入射面２２ａと、当該光入射面２２ａに隣接する光出射平面である光出射面２２ｂとを備えている。光入射面２２ａは、ＬＥＤ２１からの光を導光板２２の内部に導入する面である。また、光出射面２２ｂは、光入射面２２ａからの光を平面的な光として出射する面である。光出射面２２ｂ及びその光出射面２２ｂに対向する面には、必要に応じて反射シート、拡散シート、プリズムシート等といった光学シート（図示せず）を装着することができる。この導光板２２は、例えばアクリルやポリカーボネート等といった透光性の樹脂を材料として樹脂成形加工によって形成できる。この照明装置３については、後に詳しく説明する。
【００４２】
本実施形態の液晶装置１は以上のように構成されているので、図２において、ＬＥＤ２１が発光すると、その光が導光板２２の側端面である光入射面２２ａを通してその導光板２２の内部へ導入される。導入された光は導光板２２の内部を進行した後、側端面に隣接する平面である光出射面２２ｂから面状の光として出射して液晶パネル２へ供給される。こうして液晶パネル２へ光が供給される間、液晶パネル２内の液晶層に印加される電圧が画素ごとに制御され、液晶分子の配向が画素ごとに制御される。こうして配向制御される液晶分子の働きにより、液晶パネル２に供給された上記の光が画素ごとに変調される。この変調された光が、基板４の偏光板７ａを通過するとき、その偏光板７ａの偏光特性により画素ごとに通過を規制され、基板４の表面に文字、数字、図形等といった像が表示され、これが、矢印Ａ方向から視認される。
【００４３】
導光板２２の光出射面２２ｂから液晶パネル２へ向けて面状の光が出射されることは上記の通りであり、液晶パネル２による表示の品質は、導光板２２からの出射光の特性に大きく依存する。例えば、導光板２２の光出射面２２ｂから均一な面状の光が得られなければ、液晶パネル２の表示は表示領域内で明るさにばらつきが生じて見難くなる。本実施形態では、導光板２２の光出射面２２ｂから均一な輝度の光を出射するために、以下に説明するような技術を施した。なお、この技術は、光源であるＬＥＤ２１を所定の所定位置からずれた状態で設置した場合であっても、均一な輝度の光を形成できるものである。
【００４４】
以下、本実施形態の照明装置３に関して詳しく説明する。
図３は、図１に示す照明装置３を矢印Ａ方向から平面的に見た図である。図４は、ＬＥＤ２１が出射する光の放射領域を示す図である。図５（ａ）は、図３において矢印Ｚ１で示す部分、すなわち１つのＬＥＤ２１とそれに対向する光入射面２２ａを拡大して示している。また、図５（ｂ）は、図３において矢印Ｚ２で示す部分、すなわち、光入射面２２ａの幅方向の中心部分を拡大して示している。
【００４５】
図３において、照明装置３は、光源としての２個のＬＥＤ２１と、導光板２２とを有している。導光板２２は、既述のように、側端面である光入射面２２ａと、当該光入射面２２ａに隣接する平面である光出射面２２ｂとを備えている。この導光板２２は、例えばアクリルやポリカーボネート等といった透光性の樹脂を材料として樹脂成形によって形成できる。光入射面２２ａの表面には複数の凸部２３が平坦部２４を挟んで並べられている。
【００４６】
ＬＥＤ２１は、特定の光放射角度を有し光軸方向へ進行するという光指向性を有する光源である。具体的には、図４に示すように、ＬＥＤ２１から放射される光は、角度θで発散しながら放射状、すなわち扇状に進行する。このときの角度θが放射角度であり、この放射角度θの内側の領域αがＬＥＤ２１の光放射領域である。この光放射領域αはＬＥＤ２１の発光部の中心線Ｌｏを境にして左右対称の領域である。すなわち、発光部の中心線Ｌｏに対する左右両側の光出射角度がθ／２となっている。このように、ＬＥＤ２１から出射される光は放射状に拡がるのであるが、その放射状の光が進行する方向、すなわち光軸の方向は、発光部の中心線Ｌｏに沿った方向であり、光入射面２２ａに対して直角の方向である。なお、図４では凸部２３の図示を省略している。
【００４７】
図２において、ＬＥＤ２１はその発光部２１ａが導光板２２の光入射面２２ａに対向して配置されている。そして、図１に示すように、２個のＬＥＤ２１が光入射面２２ａの幅方向（すなわち、行方向Ｘ）に間隔を空けて配置されている。具体的には、図３において、導光板２２の幅方向の中心線Ｃを境に左右両側に設けられている。ここで、導光板２２の中心線Ｃとは、導光板２２の光入射面２２ａに直交して光出射面２２ｂを幅方向に２等分する線である。なお、中心線Ｃの左側に設けられたＬＥＤを２１Ｌとし、中心線Ｃの右側に設けられたＬＥＤを２１Ｒとする。
【００４８】
ここで、これ以降の説明のために、図３において導光板２２の光入射面２２ａに凸部２３が設けられない、つまり光入射面２２ａが平坦面である従来の照明装置について考える。光入射面２２ａが平坦面である場合、左右のＬＥＤ２１はそれぞれ鎖線Ｐｒで示す標準位置に置かれていた。導光板２２の全幅をＬａとし、左右の標準位置Ｐｒの中心線Ｐｒ０同士の間の距離をＬｂとし、中心線Ｃと左側標準位置中心線Ｐｒ０との間の距離をＬｃとし、中心線Ｃと右側標準位置中心線Ｐｒ０との間の距離をＬｄとしたとき、
Ｌｂ＝Ｌａ／２，  Ｌｃ＝Ｌｄ＝Ｌａ／４
の関係になっている。つまり、標準位置Ｐｒは、中心線Ｃによって区分けされた導光板２２の半分の領域の中央位置に設定されていた。そして、個々のＬＥＤ２１Ｌ，２１Ｒは導光板２２の半分の領域に光を供給する役割を担っていた。光入射面２２ａが平坦面である従来の照明装置においては、ＬＥＤ２１Ｌ，２１Ｒを上記のように導光板２２の半分の領域の中央に配置することにより、それらの半分の領域内の広い領域、望ましくはほぼ全域に均一な強度の光が供給されていた。
【００４９】
以上のような従来の照明装置に対し、本実施形態の照明装置３においては、左右のＬＥＤ２１Ｌ，２１Ｒが標準位置Ｐｒよりも内側（すなわち、中心線Ｃに近づく側）の実線で示す位置Ｐｓに設けられている。その理由は、本照明装置３が組み込まれる機器、例えば液晶装置の内部構造の関係上、ＬＥＤ２１Ｌ，２１Ｒを標準位置Ｐｒに置くことができないからである。つまり、本実施形態では、ＬＥＤ２１Ｌ，２１Ｒが標準位置Ｐｒから行方向Ｘでずれた状態に設けられている。
【００５０】
この場合、設置位置Ｐｓに置かれたＬＥＤ２１Ｌ，２１Ｒの中心線Ｌｏと中心線Ｃとの間の距離をそれぞれＬｃ’，Ｌｄ’とし、ＬＥＤ２１Ｌ，２１Ｒ同士の中心線Ｌｏ間の距離をＬｂ’とすれば、
Ｌｂ’＜Ｌａ／２，  Ｌｃ’＝Ｌｄ’＜Ｌａ／４
の関係になっている。
【００５１】
次に、導光板２２の光入射面２２ａに設けられた複数の凸部２３は、中心線Ｃの左側に在るグループに属するもの２３Ｌと、中心線Ｃの右側に在るグループに属するもの２３Ｒに分けられる。左側の凸部２３ＬはＬＥＤ２１Ｌからの光を受ける凸部である。右側の凸部２３ＲはＬＥＤ２１Ｒからの光を受ける凸部である。個々の凸部２３は左右非対称の断面形状に形成されている。具体的には、頂点から光入射面２２ａへ降ろした垂線の左右両側の傾斜角度が互いに異なる断面三角形状に形成されている。個々の凸部２３の間には、中央部に在る凸部２３を除いて、平坦部２４が設けられている。この平坦部２４は、ＬＥＤ２１の発行面２１ａに対して平行な面である。
【００５２】
導光体中心線Ｃの左側グループ内の個々の凸部２３Ｌの断面形状と、右側グループ内の個々のＬＥＤ２３Ｒの断面形状とは、中心線Ｃに関して線対称又は鏡面対称である。そして、同じグループ内に在る凸部２３同士の断面形状の向きは互いに同じになっている。
【００５３】
図５（ａ）は図３の導光体中心線Ｃの左側部分を拡大して示している。この図を用いて個々の凸部２３の形状をより具体的に説明する。なお、図３の導光体中心線Ｃの右側に在る凸部２３Ｒは左側の凸部２３Ｌに対して線対称の関係にあることが異なるだけであり、個々の形状は左側の凸部２３Ｌと同じである。図５（ａ）において、凸部２３Ｌの左側側面と凸部２３Ｌの頂点Ｐｔから光入射面２２ａ（すなわち、平坦部２４の延長線）へ降ろした垂線との成す傾斜角度を「ａ」とし、凸部２３Ｌの右側側面と凸部２３Ｌの頂点Ｐｔから光入射面２２ａへ降ろした垂線との成す傾斜角度を「ｂ」としたとき、
ａ＜ｂ
となっている。好ましくは、ａ＝９°、ｂ＝４５°に設定する。
【００５４】
なお、凸部２３Ｌの左側側面２３ａは、ＬＥＤ２１Ｌが標準位置Ｐｒからずれる方向（矢印Ｍで示す方向）と反対側の側面である。凸部２３Ｌの右側側面２３ｂは、ＬＥＤ２１Ｌが標準位置Ｐｒからずれる側の側面である。図３において導光体中心線Ｃの右側のＬＥＤ２１Ｒの標準位置Ｐｒからのずれ方向は左側のＬＥＤ２１Ｌと反対であるので、右側凸部２３Ｒの断面形状の向きは左側凸部２３Ｌと左右反対の関係となる。具体的に言えば、図５（ｂ）に示すように、中心線Ｃの右側において、凸部２３Ｒの頂点から光入射面２２ａへ降ろした垂線とＬＥＤのずれ方向Ｍの反対側の側面２３ａとの成す傾斜角度が「ａ」であり、頂点からの垂線とＬＥＤのずれ側の側面２３ｂとの成す傾斜角度が「ｂ」である。
【００５５】
ところで、照明装置において、ＬＥＤは、導光板の光出射平面内の可能な限り広い領域に均一な強度の光を供給できる位置に配置されることが望ましい。この位置は、光入射面が平坦面である場合は、図３に示す標準位置Ｐｒである。しかしながら、液晶装置では、当該装置を構成する種々の要素を配置する必要があるために、必ずしも所望の位置に光源を設けることができない場合がある。
【００５６】
例えば、図３に示す本実施形態のように、ＬＥＤ２１Ｌ，２１Ｒがそれぞれ中心線Ｃに近づく方向にずれて配置される場合がある。この場合、仮に、従来のように凸部又は凹部が設けられていない場合、ＬＥＤ２１Ｌ，２１Ｒの光軸が導光板２２の光入射面２２ａに対して垂直であると、導光板２２に入射する光の配光が偏ることになる。具体的には、ＬＥＤ２１Ｌから出射されて放射状の放射領域αＬ内に放射された光と、ＬＥＤ２１Ｒから出射されて放射状の放射領域αＲ内に放射された光とが導光板２２内の中央領域Ａにおいて重なることになる。こうなると、その重なった部分の光の強度が導光板２２の右端面ＦＲに近い領域Ｂ及び左端面ＦＬに近い領域Ｃに比べて強くなる。その結果、導光板の面内で光の強度が不均一になり、光出射面２２ｂから出射する光の強度が不均一になることがある。
【００５７】
これに対し、本実施形態では、図３において、導光板２２の光入射面２２ａに、左右非対称の形状を有した複数の凸部２３を設け、ＬＥＤ２１から出射された光の光軸を変えることにした。具体的には、中心線Ｃの左側に凸部２３Ｌを設け、右側に凸部２３Ｒを設けた。そして、凸部２３Ｌは、図５（ａ）における側面２３ｂの傾斜角度ｂと側面２３ａの傾斜角度ａとをａ＜ｂの関係にある断面三角形状に形成した。これにより、図５（ｂ）において、中心線Ｃより左側の光入射面２２ａに入射する光の多くは、矢印Ｌ１で示すように、凸部２３Ｌの大きく傾斜する側面２３ｂにおいて、図の左方向（すなわち、図３の左端面ＦＬの方向）へ屈折するので、図３において破線で示すように、光放射領域αＬの方向、すなわち光軸の方向を時計の０時から６時へ向かう９０°方向（すなわち、列方向Ｙ）から、３時から９時へ向かう１８０°方向（すなわち、行方向Ｘ）へ向けて変えることができる。その結果、導光板２２内の領域Ｃに向かう光量を多くすることができる。
【００５８】
他方、右側の凸部２３Ｒは、図５（ａ）において、側面２３ｂの傾斜角度ｂと側面２３ａの傾斜角度ａとをａ＜ｂの関係にある三角形状に形成した。これにより、図５（ｂ）において、中心線Ｃより右側の光入射面２２ａに入射する光の多くは、矢印Ｌ１で示すように、凸部２３Ｒのずれ側側面２３ｂにおいて図の右方向（すなわち、図３の右端面ＦＲの方向）に屈折するので、図３において破線で示すように、光放射領域αＲの方向、すなわち光軸の方向を時計の０時から６時へ向かう９０°方向（すなわち、列方向Ｙ）から、９時から３時へ向かう０°方向（すなわち、行方向Ｘ）へ向けて変えることができる。その結果、導光板２２内の領域Ｂに向かう光量を多くすることができる。
【００５９】
以上のように、ＬＥＤ２１Ｌから出射される光の光軸とＬＥＤ２１Ｒから出射される光の光軸の向きを変えることにより、それら２つのＬＥＤ２１Ｌ，２１Ｒから出射された光が導光板２２内の中央領域Ａにおいて重なることがなくなる。また、凸部２３で光が屈折することにより、領域Ａに向かう光が少なくなるのであるが、互いに隣接する凸部２３同士の間に平坦部２４を設けたので、その平坦部２４を通って、平坦部２４から導光板側へのびる垂線方向に向かう光（図５（ｂ）において矢印Ｌ２で示す光）を確保できる。その結果、導光板２２の光出射面２２ｂ内に供給される光の強度を均一にすることができ、光出射面２２ｂから出射する光の強度を均一にすることができる。
【００６０】
（照明装置及び液晶装置の第２実施形態）
次に、本発明に係る照明装置及び液晶装置の他の実施形態を説明する。この実施形態に係る液晶装置の全体的な構成は、導光板の光入射面の構造を除いて、図１に示した液晶装置１と略同じである。本実施形態では、図３に示す凸部２３に代えて異なる形状の凸部が用いられている。図６は、本実施形態に係る図１の液晶装置１の要部である照明装置３３を矢印Ａ方向から見た状態を示す平面図である。また、図７（ａ）は、図６の矢印Ｚ３で示す部分を拡大して示している。また、図７（ｂ）は、図６の矢印Ｚ４で示す部分を拡大して示している。なお、図６に示す本実施形態は図３に示した先の実施形態と同じ構成要素を有しており、同じ構成要素は同じ符号を付して示すことにして、その説明は省略する。
【００６１】
図６において、照明装置３３は、導光板４２の光入射面４２ａに設けられた複数の凸部４３を有している。凸部４３の断面形状は左右非対称であり、一方の側面が直線であり、他方の側面が曲線となっている。具体的には、図７（ａ）において、ＬＥＤ２１が標準位置Ｐｒからずれた方向（矢印Ｍ）と反対側の側面４３ａが直線であり、ＬＥＤ２１のずれ側の側面４３ｂが曲線になっている。
【００６２】
以下に凸部４３の形状、主に曲線部分の形状を説明する。
本実施形態において、図６に示す凸部４３のうちＬＥＤ２１のずれ方向と反対側の側面４３ａの形状は、図３に示す実施形態において、凸部２３の側面２３ａと同じ直線形状である。一方、図６に示す凸部４３のうちＬＥＤ２１のずれ側の側面４３ｂの形状に関しては、図３に示す凸部２３の側面２３ｂとは異なり曲線で形成している。図３に示した実施形態では互いに隣接する凸部２３同士の間に平坦部２４を設けたが、図６に示す本実施形態では凸部４３同士の間に平坦部は設けられていない。平坦部２４の機能は、本実施形態では、ずれ側の側面４３ｂの曲線の一部によって達成される。
【００６３】
凸部４３のＬＥＤずれ側側面４３ｂの具体的な形状は以下の通りである。まず、図７（ａ）において、高さが「ｈ」である凸部４３の先端側半分、すなわち高さｈ／２の線より上側の形状は、凸部４３の頂点Ｐｔからの垂線と高さｈ／２の線との交点Ｐｃを中心とする半径Ｒｔの円の一部である。また、凸部４３の底側半分、すなわち高さｈ／２の線より下側の形状は、凸部４３の底点Ｐｂから列方向Ｙへ延びる線と高さｈ／２の線との交点Ｐｃ’を中心とする半径Ｒｂの円の一部である。例えば、Ｒｔ＝０．０５ｍｍ、Ｒｂ＝０．０５ｍｍに設定することができる。
【００６４】
本実施形態においても、図６に示すように、導光板４２の幅方向の中心線Ｃを境にして左側に１つのＬＥＤ２１Ｌが設けられ、右側に他の１つのＬＥＤ２１Ｒが設けられている。凸部４３は、光入射面４２ａの面上に互いに平行に複数個設けられている。中心線Ｃの左側に在る複数の凸部４３Ｌは左側ＬＥＤ２１Ｌからの光を受ける凸部グループを構成する。中心線Ｃの右側に在る複数の凸部４３Ｒは右側ＬＥＤ２１Ｒからの光を受ける凸部グループを構成する。同じグループ内の複数の凸部４３は同じ非対称形状に揃っており、異なるグループ間では非対称形状の向きが異なっている。具体的には、左側グループ内の凸部４３Ｌの個々の形状と右側グループ内の凸部４３Ｒの個々の形状は中心線Ｃに関して線対称すなわち鏡面対称である。左側グループ内の凸部４３Ｌと右側グループ内の凸部４３Ｒの全体的な配列は中心線Ｃに関して線対称であっても線対称でなくても構わない。
【００６５】
本実施形態の照明装置３３は、図７（ｂ）において、導光板４２の中心線Ｃより左側の光入射面４２ａに入射する光の多くは、矢印Ｌ１で示すように、凸部４３ＬのＬＥＤずれ側側面４３ｂにおいて図の左方向（図６の左端面ＦＬの方向）へ屈折するので、図６において破線で示すように、光放射領域αＲの方向（すなわち、光軸の方向）を時計の０時から６時に向かう９０°方向（すなわち、列方向Ｙ）から、３時から９時へ向かう１８０°方向（すなわち、行方向Ｘ）へ向けて変えることができる。その結果、導光板４２内の左端領域Ｃに向かう光量を多くすることができる。他方、図７（ｂ）において、導光板４２の中心線Ｃより右側の光入射面４２ａに入射する光の多くは、矢印Ｌ１で示すように、凸部４３ＲのＬＥＤずれ側側面４３ｂにおいて図の右方向（図６の右端面ＦＲの方向）へ屈折するので、図６において破線で示すように、光放射領域αＲの方向（すなわち、光軸の方向）を時計の０時から６時に向かう９０°方向（すなわち、列方向Ｙ）から、９時から３時へ向かう０°方向（すなわち、行方向Ｘ）へ向けて変えることができる。その結果、導光板４２内の右端領域Ｂに向かう光量を多くすることができる。
【００６６】
以上ように、ＬＥＤ２１Ｌから出射される光の光軸とＬＥＤ２１Ｒから出射される光の光軸の向きを変えることにより、それら２つのＬＥＤ２１Ｌ，２１Ｒから出射された光が導光板４２内の中央領域Ａにおいて重なることがなくなる。その結果、導光板４２の光出射面４２ｂ内で光の強度を均一にすることができ、光出射面４２ｂから出射する光の強度を均一にすることができる。
【００６７】
なお、本実施形態では、互いに隣接する凸部４３同士の間に平坦部を設けていない。しかしながら、凸部４３は、頂点Ｐｔ近傍の領域（具体的には、半径Ｒｔの円の接線と頂点Ｐｔからの垂線とが成す角度が光入射面４２ａと略平行な領域）、及び底点Ｐｂ近傍の領域（具体的には、半径Ｒｂの円の接線と頂点Ｐｔからの垂線とが成す角度が光入射面４２ａと略平行な領域）において、凸部４３に導入された光が矢印Ｌ２で示すように時計の０時から６時へ向かう９０°方向（列方向Ｙ）に向かうことができるので、図３に示す平坦部２４と同様の効果を奏することができる。また、図６の凸部４３は、直線の側面で形成した図３の凸部２３に比べて先端部分の幅を広くすることができるので、凸部４３の機械的な強度を強くでき、先端が破損することを防止できる。
【００６８】
（照明装置及び液晶装置の第３実施形態）
次に、本発明に係る照明装置及び液晶装置のさらに他の実施形態を説明する。この実施形態に係る液晶装置の全体的な構成は、導光板の光入射面の構造を除いて、図１に示した液晶装置１と略同じである。本実施形態では、図３に示す凸部２３に代えて、導光板の光入射面に複数の凹部を設けることにした。図８は、本実施形態に係る図１の液晶装置１の要部である照明装置５３を矢印Ａ方向から見た状態を示す平面図である。
【００６９】
導光板６２の光入射面６２ａの面上に左右非対称形状である複数の凹部６３が設けられている。中心線Ｃの左側に在る複数の凹部６３Ｌは左側ＬＥＤ２１Ｌからの光を受けるグループである。中心線Ｃの右側に在る複数の凹部６３Ｒは右側ＬＥＤ２１Ｒからの光を受けるグループである。各グループ内で凹部６３の左右非対称形状は同じ方向を向いている。両グループ間では凹部６３の左右非対称形状は中心線Ｃに関して線対称すなわち鏡面対称である。両グループ間での複数の凹部６３の全体的な配列状態は中心線Ｃに関して線対称であっても線対称でなくても構わない。
【００７０】
個々の凹部６３は、左側面の傾斜角度と右側面の傾斜角度とが互いに異なる左右非対称の三角形状に形成されている。また、互いに隣接する凹部６３同士の間には平坦部６４が設けられている。この平坦部６４は、ＬＥＤ２１の発光部２１ａに対して平行な面である。三角形状に形成された凹部６３の底点Ｐｖから光入射面６２ａ（すなわち、平坦部６４の延長線）に下ろした垂線とＬＥＤずれ方向Ｍと反対側の側面６３ａとの成す傾斜角度を「ｃ」とし、当該垂線とＬＥＤずれ方向Ｍ側の側面６３ｂとの成す傾斜角度を「ｄ」としたとき、
ｃ＞ｄ
となっている。
【００７１】
本実施形態の照明装置５３において、導光板６２の中心線Ｃより左側の光入射面６２ａに入射する光の多くは、矢印Ｌ１で示すように、凹部６３Ｌの両側面のうちＬＥＤずれ方向Ｍと反対側の側面６３ａにおいて左端面ＦＬの方向へ屈折する。従って、導光板６３に導入された光の光軸を時計の０時から６時に向かう９０°方向（すなわち、列方向Ｙ）から、３時から９時に向かう１８０°方向（すなわち、行方向Ｘ）へ向けて変えることができる。その結果、導光板６２内の左端領域Ｃに向かう光量を多くできる。
【００７２】
他方、導光板６２の中心線Ｃより右側の光入射面６２ａに入射する光の多くは、矢印Ｌ１で示すように、凹部６３Ｒの両側面のうちＬＥＤずれ方向Ｍと反対側の側面６３ａにおいて右端面ＦＲの方向へ屈折する。従って、導光板６３に導入された光の光軸を時計の０時から６時に向かう９０°方向（すなわち、列方向Ｙ）から、９時から３時に向かう０°方向（すなわち、行方向Ｘ）へ向けて変えることができる。その結果、導光板６２内の右端領域Ｂに向かう光量を多くできる。
【００７３】
以上のように、ＬＥＤ２１Ｌから出射される光の光軸とＬＥＤ２１Ｒから出射される光の光軸の向きを変えることにより、それら２個のＬＥＤ２１Ｌ，２１Ｒから出射された光が導光板６２内の中央領域Ａにおいて重なることを防止できる。また、凹部６３で光が屈折することにより、中央領域Ａに向かう光量が少なくなるのであるが、互いに隣接する凹部６３同士の間に平坦部６４を設けたので、その平坦部６４を通って、平坦部６４から導光板側へのびる垂線方向に向かう光Ｌ２を確保できる。その結果、導光板６２の面内で光の強度を均一にすることができ、光出射面６２ｂから出射する光の強度を均一にすることができる。
【００７４】
（その他の実施形態）
以上、好ましい実施形態を挙げて本発明を説明したが、本発明はその実施形態に限定されるものでなく、請求の範囲に記載した発明の範囲内で種々に改変できる。
例えば、上記の各実施形態では、光源であるＬＥＤを２個用いて構成した照明装置に対して本発明を適用している。しかしながら、本発明は、ＬＥＤの個数が１個の場合にも適用できるし、３個以上の場合にも適用できる。
【００７５】
（電子機器の第１実施形態）
以下、本発明に係る電子機器の実施形態を説明する。なお、この実施形態は本発明の一例を示すものであり、本発明はこの実施形態に限定されるものではない。
【００７６】
図９は、本発明に係る電子機器の一実施形態を示している。ここに示す電子機器は、液晶装置１０１と、これを制御する制御回路１０２とを有する。制御回路１０２は、表示情報出力源１０６、表示情報処理回路１０７、電源回路１０８及びタイミングジェネレータ１０９によって構成される。そして、液晶装置１０１は液晶パネル１０３、駆動回路１０４及び照明装置１０５を有する。
【００７７】
表示情報出力源１０６は、ＲＡＭ(Random Access Memory)等といったメモリや、各種ディスク等といったストレージユニットや、ディジタル画像信号を同調出力する同調回路等を備え、タイミングジェネレータ１０９により生成される各種のクロック信号に基づいて、所定フォーマットの画像信号等といった表示情報を表示情報処理回路１０７に供給する。
【００７８】
次に、表示情報処理回路１０７は、増幅・反転回路や、ローテーション回路や、ガンマ補正回路や、クランプ回路等といった周知の回路を多数備え、入力した表示情報の処理を実行して、画像信号をクロック信号ＣＬＫと共に駆動回路１０４へ供給する。ここで、駆動回路１０４は、走査線駆動回路やデータ線駆動回路と共に、検査回路等を総称したものである。また、電源回路１０８は、上記の各構成要素に所定の電源電圧を供給する。
【００７９】
液晶装置１０１は、例えば、図１に示した液晶装置１を用いて構成できる。液晶装置１は、照明装置３を構成する導光板２２の光入射面２２ａに左右非対称の形状を有した複数の凸部２３を設けたことにより、導光板２２に入射する光の光軸を変えることができるので、導光板２２から出射される光の強度を光出射面２２ｂ内で均一にできる。その結果、液晶装置１の表示の輝度を均一にできる。従って、本実施形態の電子機器においてもその表示の輝度を均一にできる。
【００８０】
（電子機器の第２実施形態）
図１０は、本発明に係る電子機器の他の実施形態である携帯電話機を示している。ここに示す携帯電話機１１０は、本体部１１１と、該本体部１１１に対して開閉可能に設けられた表示体部１１２とを有する。液晶装置によって構成された表示装置１１３は、表示体部１１２の内部に配置され、電話通信に関する各種表示は、表示体部１１２の表示画面１１４によって視認でき、本体部１１１には操作ボタン１１５が配列されている。
【００８１】
表示体部１１２の一端部には伸縮自在のアンテナ１１６が取付けられている。表示体部１１２の上部に設けられた受話部１１７の内部には、図示しないスピーカが配置される。また、本体部１１１の下端部に設けられた送話部１１８の内部には図示しないマイクが内蔵されている。表示装置１１３の動作を制御するための制御部は、携帯電話機の全体の制御を司る制御部の一部として、又はその制御部とは別に、本体部１１１又は表示体部１１２の内部に格納される。
【００８２】
表示装置１１３は、例えば、図１に示した液晶装置１を用いて構成できる。液晶装置１は、照明装置３を構成する導光板２２の光入射面２２ａに左右非対称の形状を有した複数の凸部２３を設けたことにより、導光板２２に入射する光の光軸を変えることができるので、導光板２２から出射される光の強度を光出射面２２ｂ内で均一にできる。その結果、液晶装置１の表示の輝度を均一にできる。従って、本実施形態の電子機器においてもその表示の輝度を均一にできる。
【００８３】
なお、電子機器としては、以上に説明した携帯電話機等の他にも、パーソナルコンピュータ、液晶テレビ、ビューファインダ型又はモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【実施例】
【００８４】
図３の照明装置３に関して、光線追跡シミュレーションソフト（製品名：Light Tools）を用いて輝度分布を調べるシミュレーションを行った。具体的には、そのソフトによって実現される処理において、導光板２２の形状をモデリングし、そのモデリング条件下で導光板２２の光入射側領域である図３のＺ５−Ｚ５断面における輝度分布をシミュレーションした。このシミュレーションは、１個のＬＥＤ２１に対応する部分、すなわち図５（ａ）で示す部分に関して行ったものである。
【００８５】
本シミュレーションにおいて設定した主なパラメータは、（１）ＬＥＤ２１と光入射面２２ａとの間の距離、（２）導光板２２の材質、（３）導光板２２及びＬＥＤ２１の厚さ、（４）導光板２２の屈折率、（５）ＬＥＤ２１の配向分布である。これらのパラメータを所定値に設定し、図５（ａ）に示す凸部２３の形状が、以下の（ａ）〜（ｃ）の３種類である場合に関してシミュレーションを行った。なお、（ｃ）が図５（ａ）に示す実施形態における凸部２３の形状である。
【００８６】
（ａ）傾斜角度ａ＝９０°、傾斜角度ｂ＝９０°
（ｂ）傾斜角度ａ＝４５°、傾斜角度ｂ＝４５°
（ｃ）傾斜角度ａ＝９°  、傾斜角度ｂ＝４５°
本シミュレーションの結果を図１１のグラフに示す。グラフの横軸は光の配向分布を角度で示しており、この角度は図５（ａ）に示す０°〜１８０°の座標系に対応している。また、図１１のグラフの縦軸は、光の強度を示しており、単位はＷ／Ｓｒ（ワット／ステラジアン）である。
【００８７】
図１１のグラフによれば、個々の凸部の形状が左右対称である（ａ）及び（ｂ）の場合に関して、光の放射強度は、９０°を境に略左右対称である。これに対し、個々の凸部を左右非対称に形成した（ｃ）の場合、光の放射強度は（ａ）及び（ｂ）に比べて０°〜９０°の範囲では減少し、９０°〜１８０°の範囲では増加する傾向にある。このことから、図５（ａ）において、０°〜９０°の方向へ進行する光が減少し、９０°〜１８０°の方向へ進行する光が増加することがわかった。すなわち、凸部２３のＬＥＤずれ方向Ｍと反対側の側面の傾斜角度ａを９°とし、ＬＥＤずれ方向Ｍ側の側面の角度ｂを４５°とすれば、ＬＥＤ２１から出射して導光板２２に導入された光の光軸を適正な方向へ変えることができることがわかった。
【図面の簡単な説明】
【００８８】
【図１】本発明に係る照明装置及び液晶装置の一実施形態を示す斜視図である。
【図２】図１の液晶装置の要部を示す断面図である。
【図３】図１の矢印Ａ方向から照明装置を示す平面図である。
【図４】光源の光放射領域を示す平面図である。
【図５】図３の照明装置の要部を示す平面図であり、（ａ）は矢印Ｚ１で示す部分を示しており、（ｂ）は矢印Ｚ２で示す部分を示している。
【図６】本発明に係る照明装置の他の実施形態を示す平面図である。
【図７】図６の照明装置の要部を示す平面図であり、（ａ）は矢印Ｚ３で示す部分を示しており、（ｂ）は矢印Ｚ４で示す部分を示している。
【図８】本発明に係る照明装置のさらに他の実施形態の要部を示す平面図である。
【図９】本発明に係る電子機器の一実施形態を示すブロック図である。
【図１０】本発明に係る電子機器の他の実施形態である携帯電話機を示す斜視図である。
【図１１】本発明に係る照明装置に関して行ったシミュレーションの結果を示すグラフである。
【図１２】従来の照明装置を示す平面図であって、（ａ）は光源の配置位置がずれていない状態を示しており、（ｂ）は光源がずれて配置された状態を示している。
【符号の説明】
【００８９】
１．液晶装置、  ２．液晶パネル、  ３，３３，５３．照明装置、  ４．第１基板、  
４ａ．第１透光性基板、  ５．第２基板、  ５ａ．第２透光性基板、  ６．シール材、
７ａ，７ｂ．偏光板、  ８．張出し部、  ９．駆動用ＩＣ、  １１．ＡＣＦ、
１２．外部接続用端子、  １３．配線基板、  １４．配線、  
２１，２１Ｌ，２１Ｒ．ＬＥＤ（光源）、  ２１ａ．発光面、
２２，４２，６２．導光板、  ２２ａ．光入射面（入光用側端面）、  
２２ｂ．光出射面（光出射平面）、  
２３，２３Ｌ，２３Ｒ，４３，４３Ｌ，４３Ｒ．凸部、  
２３ａ，２３ｂ，４３ａ，４３ｂ．凸部の側面、  ２４，６４．平坦部、  
６３，６３Ｌ，６３Ｒ．凹部、  ６３ａ，６３ｂ．凹部の側面、  １０１．液晶装置、  
１０２．制御回路、  １０３．液晶パネル、  １０４．駆動回路、  １０５．照明装置、  
１１０．携帯電話機（電子機器）、  １１３．表示装置、  αＲ，αＬ．光放射領域、  Ｃ．導光板の中心線、  ＦＲ，ＦＬ．端面、  Ｌｏ．発光部の中心線、
Ｌ１，Ｌ２．光、  Ｐｒ．標準位置、  Ｐｓ．設置位置、  Ｐｔ．頂点、  Ｐｂ．底点
【図１】
2008047429.tif 000003
【図２】
2008047429.tif 000004
【図３】
2008047429.tif 000005
【図４】
2008047429.tif 000006
【図５】
2008047429.tif 000007
【図６】
2008047429.tif 000008
【図７】
2008047429.tif 000009
【図８】
2008047429.tif 000010
【図９】
2008047429.tif 000011
【図１０】
2008047429.tif 000012
【図１１】
2008047429.tif 000013
【図１２】
2008047429.tif 000014
【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
光を出射する光源と、
前記光源と対向する入光用側端面から前記光を導入し、該入光用側端面に隣接する光出射平面から出射する導光体と、を有する照明装置において、
前記光源は、該光源の前記光の出射方向と交差する方向となる前記導光体の幅の中心線からずれた位置に前記入光用側端面側に配置され、
前記導光体の前記入光用側端面には、前記光源の前記光の出射方向と交差する方向に沿って凸部又は凹部が設けられ、
前記凸部又は凹部は、前記光源の前記光の出射方向と交差する方向において傾いた非対称の形状を有し、
前記凸部又は凹部はいずれも前記光源の前記光の出射方向と交差する方向の一方に傾けられていることを特徴とする照明装置。
【請求項２】
請求項１記載の照明装置において、前記凸部は、前記光源から出射された光を前記導光体内部において、該凸部が傾けられた方向に光を屈折させ、前記凹部は、前記光源から出射された光を前記導光体内部において、該凹部が傾けられた方向とは逆に光を屈折させることを特徴とする照明装置。
【請求項３】
請求項１又は請求項２の記載の照明装置において、前記導光体の前記入光用側端面に設けられた凸部又は凹部が複数配置されていることを特徴とする照明装置。
【請求項４】
請求項１から請求項３のいずれか一項に記載の照明装置において、前記凸部の間又は前記凹部の間には平坦部が設けられ、該平坦部の延長線を基準とした前記凸部又は凹部の形状が三角状であることを特徴とする照明装置。
【請求項５】
請求項４記載の照明装置において、前記光出射平面側から見て、前記凸部の頂点から前記平坦部の前記延長線に向かう垂線との間で傾斜角を成す両側面のうち、前記光源の前記光の出射方向と交差する方向の前記一方の側の側面の傾斜角度をａとし、他方の側面の側の傾斜角度をｂとしたとき、
ａ＜ｂ
であることを特徴とする照明装置。
【請求項６】
請求項４記載の照明装置において、前記光出射平面側から見て、前記凹部の底点から前記平坦部の前記延長線に向かう垂線との間で傾斜角を成す両側面のうち、前記光源の前記光の出射方向と交差する方向の前記一方の側の側面の傾斜角度をｄとし、他方の側の側面の傾斜角度をｃとしたとき、
ｃ＞ｄ
であることを特徴とする照明装置。
【請求項７】
請求項１又は請求項２記載の照明装置において、前記凸部又は凹部は、前記光源の前記光の出射方向と交差する方向に２つの側面を有し、前記一方の側の側面が直線であり、他方の側の側面が曲線であり、前記凸部同士の間又は前記凹部同士の間には、平坦部が設けられないことを特徴とする照明装置。
【請求項８】
光を出射する光源と、
前記光源と対向する入光用側端面から前記光を導入し、該入光用側端面に隣接する光出射平面から出射する導光体と、を有する照明装置において、
前記光源は、前記入光用側端面側に配置されとともに、該光源の前記光の出射方向で前記導光体の前記光出射平面を２等分する中心線を境にして該中心線の両側に設けられて、
前記光源は、前記中心線と該中心線に平行な端面との中間位置からずれた位置に前記入光用側端面に対向して配置され、
前記導光体の前記入光用側端面には前記光源の前記光の出射方向と交差する方向に沿って凸部又は凹部が設けられ、
前記凸部又は凹部は、前記光源の前記光の出射方向と交差する方向において傾いた非対称の形状を有し、
前記凸部は前記光の出射方向と交差する方向の傾いている方向に光を屈折させ、凹部は前記光の出射方向と交差する方向の傾いている方向の逆に光を屈折させ、
前記凸部又は凹部はいずれも前記光の出射方向と交差する方向の一方に傾けられていることを特徴とする照明装置。
【請求項９】
液晶層と該液晶層に平面的に重なる偏光層とを有する液晶パネルと、
該液晶パネルに光を供給する照明装置と、を有し、
前記照明装置は、請求項１から請求項８のいずれか１つに記載した構成の照明装置であることを特徴とする液晶装置。
【請求項１０】
請求項９記載の液晶装置を有することを特徴とする電子機器。
【手続補正２】
【補正対象書類名】明細書
【補正対象項目名】００１３
【補正方法】変更
【補正の内容】
【００１３】
本発明に係る第１の照明装置は、光を出射する光源と、前記光源と対向する入光用側端面から前記光を導入し、該入光用側端面に隣接する光出射平面から出射する導光体とを有する照明装置において、前記光源は、該光源の前記光の出射方向と交差する方向となる前記導光体の幅の中心線からずれた位置に前記入光用側端面側に配置され、前記導光体の前記入光用側端面には、前記光源の前記光の出射方向と交差する方向に沿って凸部又は凹部が設けられ、前記凸部又は凹部は、前記光源の前記光の出射方向と交差する方向において傾いた非対称の形状を有し、前記凸部又は凹部はいずれも前記光源の前記光の出射方向と交差する方向の一方に傾けられていることを特徴とする。
【手続補正３】
【補正対象書類名】明細書
【補正対象項目名】００１４
【補正方法】変更
【補正の内容】
【００１４】
上記構成の照明装置に用いられる光源は、光を扇状に放射することができる。この扇状の光は一定の方向に進行する、いわゆる光指向性を有している。この光源から出射される光は、当該光源の中心から所定の角度範囲内で放射される。また、導光体は、例えば透光性の樹脂を用いて形成された板状の部材である。光源は、一般に、導光体から出射する光の輝度を導光体の平面内で均一にするために、導光体に対する標準位置、すなわち、光源の光の出射方向と交差する方向となる導光体の幅の中心線上に入光用側端面側に配置されることが望ましい。しかしながら、液晶装置を構成する各種の要素を照明装置の周辺に配置する関係上、本発明のように、必ずしも光源を標準位置に配置できない場合がある。
【手続補正４】
【補正対象書類名】明細書
【補正対象項目名】００１５
【補正方法】変更
【補正の内容】
【００１５】
本発明の照明装置では、導光体の入光用側端面に、光源の光の出射方向と交差する方向
に沿って凸部又は凹部が設けられている。光源から出射して導光体の入光用側端面から当該導光体内に導入される光は、入光用側端面に設けられた凸部又は凹部において屈折する。前記凸部又は凹部は、光源の光の出射方向と交差する方向において傾いた非対称の形状を有し、前記凸部又は凹部はいずれも光源の光の出射方向と交差する方向の一方に傾けられている。従って、凸部又は凹部において屈折する光の多くが同じ方向に進行することができる。これにより、光源から出射して導光体内に導入される光の光軸を変えることができる。その結果、導光体に対する標準位置からずれた位置に光源が設けられていても、当該光源から出射した光の光軸を変えて導光体内の所望の領域に光を導入できるので、導光体から均一な光を出射できる。
【手続補正５】
【補正対象書類名】明細書
【補正対象項目名】００１６
【補正方法】変更
【補正の内容】
【００１６】
次に、本発明に係る第１の照明装置において、前記凸部は、前記光源から出射された光を前記導光体内部において、該凸部が傾けられた方向に光を屈折させることができる。また、前記凹部は、前記光源から出射された光を前記導光体内部において、該凹部が傾けられた方向とは逆に光を屈折させることができる。
【手続補正６】
【補正対象書類名】明細書
【補正対象項目名】００１７
【補正方法】変更
【補正の内容】
【００１７】
一般に、導光体内においては、光源の光放射領域に対応して、個々の光源が照明すべき
領域が決まっている。既述の通り、光源から出射される光は当該光源の発光部の中心から
所定の角度範囲内で放射される。そのため、光源を配置すべき標準位置は、光源が照明すべき導光体内の領域の中心線上にある。この標準位置から光源がずれた場合、そのずれた側と反対側に光が屈折するように前記凸部又は凹部を設定すれば、光源が発する光の光軸を光源がずれた側と反対側に向けることができる。
【手続補正７】
【補正対象書類名】明細書
【補正対象項目名】００１８
【補正方法】変更
【補正の内容】
【００１８】
本発明態様において、凸部は当該凸部が傾けられた方向に光を屈折することができるので、光源がずれた側と反対側に凸部を傾ければ、光源が発する光の光軸を光源がずれた側と反対側に向けることができる。一方、凹部は当該凹部が傾けられた方向とは逆に光を屈折させることができるので、光源がずれた側に凹部を傾ければ、光源が発する光の光軸を光源がずれた側と反対側に向けることができる。このように凸部又は凹部を傾ければ、光源の位置がずれたことに起因して光源の光放射領域がずれることを補償できる。
次に、本発明に係る第１の照明装置において、前記導光体の前記入光用側端面に設けられた凸部又は凹部が複数配置されていることことが望ましい。
【手続補正８】
【補正対象書類名】明細書
【補正対象項目名】００１９
【補正方法】変更
【補正の内容】
【００１９】
次に、本発明に係る第１の照明装置において、前記凸部の間又は前記凹部の間には平坦部が設けられ、該平坦部の延長線を基準とした前記凸部又は凹部の形状が三角状であることが望ましい。このように、凸部同士の間又は凹部同士の間に平坦部を設ければ、この平坦部において光源からの光が屈折し難くなり、その光は導光体の入光用側端面に対して略直角に入射することができる。こうして入光用側端面に対して直角方向に入射する光を確保できる。
【手続補正９】
【補正対象書類名】明細書
【補正対象項目名】００２３
【補正方法】変更
【補正の内容】
【００２３】
次に、本発明に係る第１の照明装置において、前記凸部又は凹部は、前記光源の前記光の出射方向と交差する方向に２つの側面を有し、前記一方の側の側面が直線であり、他方の側の側面が曲線であり、前記凸部同士の間又は前記凹部同士の間には、平坦部が設けられないことが望ましい。本構成の照明装置は、凸部又は凹部に入射する光を屈折させたい側の凸部又は凹部の側面の形状を曲線とし、反対側の側面の形状を直線としたものである。曲線形状を有した側面では入射した光が屈折できる。また、曲線形状の側面のうち、その曲線の接線が導光体の入光用側端面に対して平行又はそれに近い部分では光が屈折し難くなり、その光は入光用側端面に対して略直角に入射する。すなわち、この部分では、平坦面と同様の効果が得られる。また、凸部の側面を曲線で形成すれば、凸部の先端部の幅を広く形成できるので、凸部の機械的な強度を確保
できる。
【手続補正１０】
【補正対象書類名】明細書
【補正対象項目名】００２４
【補正方法】変更
【補正の内容】
【００２４】
次に、本発明に係る第２の照明装置は、光を出射する光源と、前記光源と対向する入光用側端面から前記光を導入し、該入光用側端面に隣接する光出射平面から出射する導光体とを有する照明装置において、前記光源は、前記入光用側端面側に配置されとともに該光源の前記光の出射方向で前記導光体の前記光出射平面を２等分する中心線を境にして該中心線の両側に設けられ、前記光源は、前記中心線と該中心線に平行な端面との中間位置である標準位置からずれた位置に前記入光用側端面に対向して配置され、前記導光体の前記入光用側端面には前記光源の前記光の出射方向と交差する方向に沿って凸部又は凹部が設けられ、前記凸部又は凹部は、前記光源の前記光の出射方向と交差する方向において傾いた非対称の形状を有し、前記凸部は前記光の出射方向と交差する方向の傾いている方向に光を屈折させ、凹部は前記光の出射方向と交差する方向の傾いている方向の逆に光を屈折させ、前記凸部又は凹部はいずれも前記光の出射方向と交差する方向の一方に傾けられていることを特徴とする。
【手続補正１１】
【補正対象書類名】明細書
【補正対象項目名】００２５
【補正方法】変更
【補正の内容】
【００２５】
本発明の第２の照明装置においては、凸部は当該凸部が傾けられた方向に光を屈折することができるので、光源が標準位置からずれた側と反対側に凸部を傾ければ、各光源が発する光の光軸を光源がずれた側と反対側に向けることができる。一方、凹部は当該凹部が傾けられた方向とは逆に光を屈折させることができるので、光源がずれた側に凹部を傾ければ、各光源が発する光の光軸を光源がずれた側と反対側に向けることができる。このように凸部又は凹部を傾ければ、光源の位置がずれたことに起因して光源の光放射領域がずれることを補償できる。
【手続補正１２】
【補正対象書類名】明細書
【補正対象項目名】００２７
【補正方法】変更
【補正の内容】
【００２７】
次に、本発明に係る液晶装置は、液晶層と該液晶層に平面的に重なる偏光層とを有する液晶パネルと、該液晶パネルに光を供給する照明装置とを有し、前記照明装置は、以上に記載した構成の照明装置であることを特徴とする。本発明に係る照明装置は、導光体の入光用側端面に左右非対称形状の凸部又は凹部を設けたことにより、導光体に入射する光の光軸を変えることができるので、導光体から出射される光の強度を平面内で均一にできる。従って、本発明に係る液晶装置においても、照明装置から出射された光の強度を均一にできるので、液晶装置の表示の輝度を均一にできる。
【手続補正１３】
【補正対象書類名】明細書
【補正対象項目名】００２８
【補正方法】変更
【補正の内容】
【００２８】
次に、本発明に係る電子機器は、以上に記載した構成の液晶装置を有することを特徴とする。本発明に係る液晶装置は、照明装置を構成する導光体の入光用側端面に左右非対称形状の凸部又は凹部を設けたことにより、導光体に入射する光の光軸を変えることができるので、導光体から出射される光の強度を平面内で均一にでき、その結果、液晶装置の表示の輝度を均一にできる。従って、本発明に係る電子機器においてもその表示の輝度を均一にできる。